(57)【要約】【課題】建築板を隣り合わせて設置する場合に建築板の端面を目立ちにくくすることができる建築板の塗装方法を提供する。【解決手段】インクジェット印刷によりインク１０を吹き付けて建築板１の表面２を塗装する。インクジェット印刷によりインク１０を吹き付けて端面転写ロール８の外周面９を塗装し、前記端面転写ロール８を回転させることによって前記外周面９のインク１０を前記建築板１の端面３に転写する。【選択図】図１
2014008458.tif 000002
【特許請求の範囲】
【請求項１】
インクジェット印刷によりインクを吹き付けて建築板の表面を塗装すると共に、インクジェット印刷によりインクを吹き付けて端面転写ロールの外周面を塗装し、前記端面転写ロールを回転させることによって前記外周面のインクを前記建築板の端面に転写することを特徴とする建築板の塗装方法。
【請求項２】
インクジェット印刷によりインクを吹き付けて表面転写ロールの外周面を塗装し、前記表面転写ロールを回転させることによって前記外周面のインクを建築板の表面に転写すると共に、インクジェット印刷によりインクを吹き付けて端面転写ロールの外周面を塗装し、前記端面転写ロールを回転させることによって前記外周面のインクを前記建築板の端面に転写することを特徴とする建築板の塗装方法。
【請求項３】
表面塗装用インクジェット装置と、端面塗装用インクジェット装置と、端面転写ロールとを備えて形成され、前記表面塗装用インクジェット装置は、インクジェット印刷によりインクを吹き付けて建築板の表面を塗装するものであり、前記端面塗装用インクジェット装置は、インクジェット印刷によりインクを吹き付けて前記端面転写ロールの外周面を塗装するものであり、前記端面転写ロールは、回転することによって前記外周面のインクを前記建築板の端面に転写するものであることを特徴とする建築板の塗装装置。
【請求項４】
表面塗装用インクジェット装置と、表面転写ロールと、端面塗装用インクジェット装置と、端面転写ロールとを備えて形成され、前記表面塗装用インクジェット装置は、インクジェット印刷によりインクを吹き付けて前記表面転写ロールの外周面を塗装するものであり、前記表面転写ロールは、回転することによって前記外周面のインクを建築板の表面に転写するものであり、前記端面塗装用インクジェット装置は、インクジェット印刷によりインクを吹き付けて前記端面転写ロールの外周面を塗装するものであり、前記端面転写ロールは、回転することによって前記外周面のインクを前記建築板の端面に転写するものであることを特徴とする建築板の塗装装置。
【請求項５】
建築板の表面及び端面がインクジェット印刷により塗装されていることを特徴とする塗装建築板。
【発明の詳細な説明】
【技術分野】
【０００１】
本発明は、建築板の塗装方法、建築板の塗装装置、塗装建築板に関するものである。
【背景技術】
【０００２】
従来、建築板を塗装するにあたっては様々な技術が開発されている（例えば、特許文献１−３参照）。
【０００３】
特許文献１に記載の建築板の塗装方法では、模様転写ベルトの表面にインクジェット塗装機で異なる色の塗料を噴射してカラー模様を描画し、このカラー模様を建築板の表面に転写するようにしている。
【０００４】
また、特許文献２に記載の建築板は、次のような表面化粧装置を用いて製造されている。すなわち、この表面化粧装置は、建築板の表面にエンボス加工を施すエンボスロールと、前記エンボスロールの凹部に第１のインクを供給する第１のインク供給装置と、前記エンボスロールの凸部に第２のインクを供給する第２のインク供給装置とを備えるものである。
【０００５】
また、特許文献３に記載の建築板は、次のような建築板印刷装置を用いて色柄模様が印刷されている。すなわち、この建築板印刷装置は、供給されるインクを複数のセル部に保持して回転するグラビアロールと、前記セル部に対してインクを噴射して供給するインクジェット機構と、前記グラビアロールに転接されて該グラビアロールに保持されているインクが転写されて建築板に転写するオフセットロールとを備えるものである。
【先行技術文献】
【特許文献】
【０００６】
【特許文献１】特開平１０−１２８２３０号公報
【特許文献２】特開２００１−３１１２５４号公報
【特許文献３】特開２００２−１７２７６５号公報
【発明の概要】
【発明が解決しようとする課題】
【０００７】
しかし、特許文献１−３に記載されているような従来の技術では、建築板の表面のみを塗装し、端面（木口）を塗装しないものが多い。そのため、例えばこのような建築板を隣り合わせて外壁材として設置する場合には、縦目地や横目地において、建築板の端面が目立ちやすくなるという問題がある。
【０００８】
また建築板の端面を塗装するにしても、例えばインクジェット印刷により表面に複雑な模様を塗装する場合、同様の複雑な模様を端面にも塗装することは困難である。その理由の１つは、建築板の表面に比べて端面は面積が狭く、端面に直接インクジェット印刷により塗装しようとすると、表面にも塗装されて模様がずれるおそれがあるからである。そのため、建築板の端面は、例えばロール、刷毛、スプレー等により単純な模様を塗装せざるを得ない。この場合も建築板を隣り合わせて設置すると、表面が複雑な模様で端面が単純な模様であるため、縦目地や横目地において、建築板の端面が目立ちやすくなるという問題がある。
【０００９】
本発明は上記の点に鑑みてなされたものであり、建築板を隣り合わせて設置する場合に建築板の端面を目立ちにくくすることができる建築板の塗装方法、建築板の塗装装置、塗装建築板を提供することを目的とするものである。
【課題を解決するための手段】
【００１０】
本発明に係る建築板の塗装方法は、インクジェット印刷によりインクを吹き付けて建築板の表面を塗装すると共に、インクジェット印刷によりインクを吹き付けて端面転写ロールの外周面を塗装し、前記端面転写ロールを回転させることによって前記外周面のインクを前記建築板の端面に転写することを特徴とするものである。
【００１１】
本発明に係る建築板の塗装方法は、インクジェット印刷によりインクを吹き付けて表面転写ロールの外周面を塗装し、前記表面転写ロールを回転させることによって前記外周面のインクを建築板の表面に転写すると共に、インクジェット印刷によりインクを吹き付けて端面転写ロールの外周面を塗装し、前記端面転写ロールを回転させることによって前記外周面のインクを前記建築板の端面に転写することを特徴とするものである。
【００１２】
本発明に係る建築板の塗装装置は、表面塗装用インクジェット装置と、端面塗装用インクジェット装置と、端面転写ロールとを備えて形成され、前記表面塗装用インクジェット装置は、インクジェット印刷によりインクを吹き付けて建築板の表面を塗装するものであり、前記端面塗装用インクジェット装置は、インクジェット印刷によりインクを吹き付けて前記端面転写ロールの外周面を塗装するものであり、前記端面転写ロールは、回転することによって前記外周面のインクを前記建築板の端面に転写するものであることを特徴とするものである。
【００１３】
本発明に係る建築板の塗装装置は、表面塗装用インクジェット装置と、表面転写ロールと、端面塗装用インクジェット装置と、端面転写ロールとを備えて形成され、前記表面塗装用インクジェット装置は、インクジェット印刷によりインクを吹き付けて前記表面転写ロールの外周面を塗装するものであり、前記表面転写ロールは、回転することによって前記外周面のインクを建築板の表面に転写するものであり、前記端面塗装用インクジェット装置は、インクジェット印刷によりインクを吹き付けて前記端面転写ロールの外周面を塗装するものであり、前記端面転写ロールは、回転することによって前記外周面のインクを前記建築板の端面に転写するものであることを特徴とするものである。
【００１４】
本発明に係る塗装建築板は、建築板の表面及び端面がインクジェット印刷により塗装されていることを特徴とするものである。
【発明の効果】
【００１５】
本発明によれば、建築板の表面のみならず端面にもインクジェット印刷を利用して同様の模様を塗装することができ、建築板を隣り合わせて設置する場合に建築板の端面を目立ちにくくすることができるものである。
【図面の簡単な説明】
【００１６】
【図１】本発明に係る建築板の塗装装置の一例を示すものであり、（ａ）は概略正面図、（ｂ）は概略平面図である。
【図２】本発明に係る建築板の塗装装置の他の一例を示すものであり、（ａ）は概略正面図、（ｂ）は概略平面図である。
【図３】本発明に係る建築板の塗装装置の他の一例を示す概略正面図である。
【発明を実施するための形態】
【００１７】
以下、本発明の実施の形態を説明する。
【００１８】
（実施形態１）
図１は本実施形態の建築板の塗装装置を示すものであり、この建築板の塗装装置は、搬送装置１１と、表面塗装用インクジェット装置４と、端面塗装用インクジェット装置５と、端面転写ロール８と、スクレイパー１４とを備えて形成されている。
【００１９】
搬送装置１１は、建築板１を一定方向に搬送するものであり、例えばベルトコンベア等で形成されている。搬送される建築板１は、あらかじめ窯業系成形材料等で矩形状に形成されている。
【００２０】
表面塗装用インクジェット装置４は、例えばシアン（Ｃ）・マゼンタ（Ｍ）・イエロー（Ｙ）・ブラック（Ｂｋ）の４色のインク１０を用いてインクジェット印刷によりフルカラーで様々な模様を塗装できるように形成されている。このような表面塗装用インクジェット装置４は、インク１０を吹き付けるヘッドのノズルを下方に向けて、図１（ａ）に示すように搬送装置１１の上方に設置されている。そして、表面塗装用インクジェット装置４は、搬送装置１１で搬送される建築板１の表面２にインク１０を吹き付けてシングルパス方式等により建築板１の表面２を塗装するものである。
【００２１】
端面塗装用インクジェット装置５は、表面塗装用インクジェット装置４と同様に形成され、搬送装置１１の両側に設置されている。なお、図１（ｂ）では搬送装置１１の片側のみを図示している。そして、この端面塗装用インクジェット装置５は、端面転写ロール８の外周面９にインクジェット印刷によりインク１０を吹き付けて端面転写ロール８の外周面９を塗装するものである。ただし、インク１０が直接、建築板１に吹き付けられないように、端面塗装用インクジェット装置５のヘッドのノズルの向きが調整されている。
【００２２】
端面転写ロール８は、円柱状に形成され、回転軸１３が建築板１の表面２に対して垂直となるように設置されている。そして、端面転写ロール８は、図１（ｂ）に示すように回転軸１３を中心として回転することによって、外周面９のインク１０を建築板１の端面３に転写するものである。端面転写ロール８の少なくとも外周面９は例えばゴムやウレタンスポンジ等で形成されている。
【００２３】
スクレイパー１４は、上記の転写後に端面転写ロール８の外周面９に残っているインク１０を削り取ることができるように、図１（ｂ）に示すように先端を端面転写ロール８の外周面９に当接させて設置されている。
【００２４】
上記のように形成された建築板の塗装装置を用いて、次のようにして建築板１を塗装することができる。
【００２５】
まず搬送装置１１で建築板１を搬送しながら、図１（ａ）に示すように表面塗装用インクジェット装置４を用いて、インクジェット印刷によりインク１０を吹き付けて建築板１の表面２を塗装する。このように、インクジェット印刷を利用するので、建築板１の表面２には単純な模様のみならず複雑な模様も塗装することができる。
【００２６】
一方、図１（ｂ）に示すように端面塗装用インクジェット装置５を用いて、インクジェット印刷によりインク１０を吹き付けて端面転写ロール８の外周面９を塗装する。このとき外周面９に塗装される模様は、建築板１の端面３に転写される模様を反転したものである。そして外周面９に付着しているインク１０が乾かないうちに、端面転写ロール８を回転軸１３の周りに回転させることによって、外周面９のインク１０を建築板１の端面３に転写する。このように、建築板１の端面３には直接インク１０を吹き付けているわけではないが、端面転写ロール８の外周面９に塗装された模様が反転して転写されるだけであるので、建築板１の端面３にも単純な模様のみならず複雑な模様も塗装することができる。なお、転写後に端面転写ロール８の外周面９に残っているインク１０は、スクレイパー１４によって削り取られる。
【００２７】
ここで、図１（ａ）に示す建築板１の表面２の塗装と、図１（ｂ）に示す建築板１の端面３の塗装とは同時に行うようにしてもよいが、一方の塗装を先に行い、他方の塗装を後に行うようにしてもよい。また建築板１は通常矩形状であるが、例えば、建築板１の縦方向の端面３を図１（ｂ）に示すように塗装した後に、建築板１の向きを変えて同様に建築板１の横方向の端面３を塗装すれば、建築板１の四辺の端面３を全て塗装することができる。
【００２８】
上記のようにして建築板１を塗装すると、建築板１の表面２及び端面３がインクジェット印刷により塗装された塗装建築板を得ることができる。なお、建築板１の端面３には直接インク１０が吹き付けられているわけではないが、端面転写ロール８の外周面９に塗装された模様が反転して転写されているだけであるので、直接インク１０が吹き付けられたものと同視することができる。
【００２９】
上記のように本発明によれば、建築板１の表面２のみならず端面３にもインクジェット印刷を利用して同様の模様を塗装することができるものである。特に建築板１の表面２に複雑な模様を塗装する場合には、建築板１の端面３に直接インクジェット印刷により塗装しなくても、建築板１の端面３にも同様の複雑な模様を容易に塗装することができるものである。そして、このような建築板１を隣り合わせて外壁材等として設置する場合には、縦目地や横目地において、建築板１の端面３を目立ちにくくすることができるものである。
【００３０】
（実施形態２）
図２は本実施形態の建築板の塗装装置を示すものであり、この建築板の塗装装置は、搬送装置１１と、表面塗装用インクジェット装置４と、表面転写ロール６と、クリーニングロール１５と、ドクターナイフ１６と、端面塗装用インクジェット装置５と、端面転写ロール８と、スクレイパー１４とを備えて形成されている。
【００３１】
搬送装置１１及び建築板１は実施形態１と同様に形成されている。
【００３２】
表面塗装用インクジェット装置４も実施形態１と同様に形成され、搬送装置１１の上方に設置されている。ただし、この表面塗装用インクジェット装置４は、表面転写ロール６の外周面７にインクジェット印刷によりインク１０を吹き付けて表面転写ロール６の外周面７を塗装するものである。そのため、インク１０が直接、建築板１に吹き付けられないように、表面塗装用インクジェット装置４のヘッドのノズルの向きが調整されている。
【００３３】
表面転写ロール６は、円柱状に形成され、回転軸１２が、建築板１の表面２に対して平行かつ建築板１の搬送方向に対して垂直となるように設置されている。そして、表面転写ロール６は、図２（ａ）に示すように回転軸１２を中心として回転することによって、外周面７のインク１０を建築板１の表面２に転写するものである。表面転写ロール６の少なくとも外周面７は例えばウレタンスポンジ等で形成されている。
【００３４】
クリーニングロール１５は、スポンジ等の柔軟性を有する材料で円柱状に形成され、回転軸１７が表面転写ロール６の回転軸１２と平行となるように設置されている。さらに上記の転写後に表面転写ロール６の外周面７に残っているインク１０を拭き取ることができるように、クリーニングロール１５の外周面１８は、表面転写ロール６の外周面７と外接している。
【００３５】
ドクターナイフ１６は、クリーニングロール１５によって拭き取られたインク１０を削り取ることができるように、図２（ａ）に示すように先端をクリーニングロール１５の外周面１８に当接させて設置されている。
【００３６】
端面塗装用インクジェット装置５、端面転写ロール８及びスクレイパー１４は実施形態１と同様に形成されて設置されている。
【００３７】
上記のように形成された建築板の塗装装置を用いて、次のようにして建築板１を塗装することができる。
【００３８】
まず搬送装置１１で建築板１を搬送しながら、図２（ａ）に示すように表面塗装用インクジェット装置４を用いて、インクジェット印刷によりインク１０を吹き付けて表面転写ロール６の外周面７を塗装する。このとき外周面７に塗装される模様は、建築板１の表面２に転写される模様を反転したものである。そして外周面７に付着しているインク１０が乾かないうちに、表面転写ロール６を回転軸１２の周りに回転させることによって、外周面７のインク１０を建築板１の表面２に転写する。このように、建築板１の表面２には直接インク１０を吹き付けているわけではないが、表面転写ロール６の外周面７に塗装された模様が反転して転写されるだけであるので、建築板１の表面２には単純な模様のみならず複雑な模様も塗装することができる。なお、転写後に表面転写ロール６の外周面７に残っているインク１０は、クリーニングロール１５によって拭き取られ、さらにドクターナイフ１６によって削り取られる。
【００３９】
一方、図２（ｂ）に示すように端面塗装用インクジェット装置５を用いて、インクジェット印刷によりインク１０を吹き付けて端面転写ロール８の外周面９を塗装する。このとき外周面９に塗装される模様は、建築板１の端面３に転写される模様を反転したものである。そして外周面９に付着しているインク１０が乾かないうちに、端面転写ロール８を回転軸１３の周りに回転させることによって、外周面９のインク１０を建築板１の端面３に転写する。このように、建築板１の端面３には直接インク１０を吹き付けているわけではないが、端面転写ロール８の外周面９に塗装された模様が反転して転写されるだけであるので、建築板１の端面３にも単純な模様のみならず複雑な模様も塗装することができる。なお、転写後に端面転写ロール８の外周面９に残っているインク１０は、スクレイパー１４によって削り取られる。
【００４０】
ここで、図２（ａ）に示す建築板１の表面２の塗装と、図２（ｂ）に示す建築板１の端面３の塗装とは同時に行うようにしてもよいが、一方の塗装を先に行い、他方の塗装を後に行うようにしてもよい。また建築板１は通常矩形状であるが、例えば、建築板１の縦方向の端面３を図２（ｂ）に示すように塗装した後に、建築板１の向きを変えて同様に建築板１の横方向の端面３を塗装すれば、建築板１の四辺の端面３を全て塗装することができる。
【００４１】
上記のようにして建築板１を塗装すると、建築板１の表面２及び端面３がインクジェット印刷により塗装された塗装建築板を得ることができる。なお、建築板１の表面２及び端面３には直接インク１０が吹き付けられているわけではないが、表面転写ロール６の外周面７及び端面転写ロール８の外周面９に塗装された模様がそれぞれ反転して転写されているだけであるので、直接インク１０が吹き付けられたものと同視することができる。
【００４２】
上記のように本発明によれば、建築板１の表面２のみならず端面３にもインクジェット印刷を利用して同様の模様を塗装することができるものである。特に建築板１の表面２及び端面３に直接インクジェット印刷により塗装しなくても、表面２及び端面３に同様の複雑な模様を容易に塗装することができるものである。そして、このような建築板１を隣り合わせて外壁材等として設置する場合には、縦目地や横目地において、建築板１の端面３を目立ちにくくすることができるものである。
【００４３】
また、建築板１の表面２に凸部２１及び凹部２２が形成されている場合（図３参照）において、インクジェット印刷を利用して、凸部２１の上面のみに複雑な模様を塗装するときは、凸部２１の上面に狙いをつけて直接インク１０を吹き付けるようにしてもよいが、このような吹き付けは実際には困難であり、凹部２２の箇所に模様がずれてしまう可能性が高い。しかし、図３に示すように、凸部２１の上面に直接インク１０を吹き付けるのではなく、一旦、表面転写ロール６の外周面７にインク１０を吹き付け、このインク１０を転写させるようにすれば、もともと表面転写ロール６の外周面７は凸部２１の上面のみに接触させることができるので、凸部２１の上面のみに複雑な模様を容易に塗装することができるものである。
【符号の説明】
【００４４】
１  建築板
２  表面
３  端面
４  表面塗装用インクジェット装置
５  端面塗装用インクジェット装置
６  表面転写ロール
７  外周面
８  端面転写ロール
９  外周面
１０  インク
【図１】
2014008458.tif 000003
【図２】
2014008458.tif 000004
【図３】
2014008458.tif 000005